(57)【要約】【課題】片面に書き込み可能なラミネートカードを容易に作製するためのラミネートカード作製用紙を提供することを目的とする。【解決手段】ラミネートカード作製用紙１は、印刷用紙５及び透光性フィルム７からなる。印刷用紙５の裏面５Ｂにおいては、カード台紙１３Ａの周縁部及びその外側領域に剥離層９が形成され、カード台紙１３Ａの周縁部以外の領域は、剥離層９の非形成領域２１とされている。透光性フィルム７の表面７Ａにおいては、剥離層９の形成領域と対応する領域に粘着剤層１７が形成されている。印刷用紙５の表面５Ａに印字する。続いて、マイクロミシン目１５Ａを切って、印刷用紙５のカード台紙１３Ａを分離し、反転させる。そして、カード台紙１３Ａの表面５Ａを透光性フィルム７に接着する。さらに、マイクロミシン目１５Ｂを切断して、ラミネートカード２５が得られる。【選択図】  図４
2005014296.tif 000002
【特許請求の範囲】
【請求項１】
カード台紙の情報印刷面に透光性フィルムを貼り付けてなるラミネートカードを作製するための用紙であって、
前記カード台紙の前記情報印刷面と反対の面には、その周縁に沿って剥離層が形成されると共にその剥離層の残余の領域に剥離層非形成領域が設けられ、
前記透光性フィルムには、前記剥離層に対応する領域に粘着剤層が形成され、その粘着剤層が前記カード台紙の前記剥離層に剥離可能に貼着されているラミネートカード作製用紙。
【請求項２】
カード台紙の情報印刷面に透光性フィルムを貼り付けてなるラミネートカードを作製するための用紙であって、
前記カード台紙は印刷用紙にループ状の切断可能線を形成することで前記印刷用紙から切り離し可能に形成され、
前記印刷用紙の情報印刷面と反対の面には、前記カード台紙の周縁部及びその外側領域に剥離層が形成されると共に前記カード台紙の前記周縁部以外の領域に剥離層非形成領域が形成され、
前記透光性フィルムは前記剥離層に対応する領域に粘着剤層が形成されてその粘着剤層を介して前記印刷用紙の剥離層に剥離可能に貼着されると共に、
前記透光性フィルムには前記カード台紙の切断可能線と重なるようにループ状の切断可能線が形成されていることを特徴とするラミネートカード作製用紙。
【発明の詳細な説明】
【０００１】
【発明の属する技術分野】
本発明は、ラミネートカード作製用紙に関する。
【０００２】
【従来の技術】
例えば、診察券、会員カード等のカードは、その情報印刷面を保護するために透光性フィルムによってラミネートすることが広く行われていた。そして、その情報印刷面をラミネートするために専用のラミネータが用いられていた。
【０００３】
ところが、専用のラミネータでラミネートすることは煩雑であるため、より簡便にラミネート加工できるものが要望されていた。
そこで、ラミネータを使用することなく、簡単にラミネート加工することができるものとして、専用のラミネートカード作製用紙が提案されている（例えば、特許文献１参照）。この特許文献１において提案されたラミネートカード作製用紙を用いれば、ラミネータを用いなくても、両面がラミネートされたラミネートカードを容易に作製することができる。
【０００４】
ところで、カード台紙の両面を透光性フィルムによってラミネートするのではなく、片面のみをラミネートして、他方の面は鉛筆等で書き込みができるようにしたものが要望されている。これは、例えば、病院での診療記録や、会員の施設利用記録をカード台紙の裏面に記録するためである。
【０００５】
片面のみラミネートされたカードを作製するには、従来から知られている次の構成を用いることができる。
すなわち、片面を粘着面とした透光性フィルムと、片面を情報印刷面とし他方の面をシリコン樹脂等により剥離面としたカード台紙とを、粘着面と剥離面で剥離可能に接合したものが考えられる。
これによれば、まず、接合状態から一旦カード台紙を分離した後、カード台紙を反転して、その情報印刷面と透光性フィルムとを再接合する。すると、カード台紙の情報印刷面が透光性フィルムによって容易にラミネート加工される。一方、他方の面は、ラミネートされず、片面のみラミネートされたラミネートカードが得られる。
【０００６】
【特許文献１】
登録実用新案公報第３０５８９９６号公報（第１図、第２図、第３図）
【０００７】
【発明が解決しようとする課題】
しかしながら、上記構成においては、完成したラミネートカードの裏面は、もともとシリコン樹脂等が塗布された剥離面であるため、この面に鉛筆等で書き込みすることは困難であった。
本発明は上記のような事情に基づいて完成されたものであって、片面に書き込み可能なラミネートカードを容易に作製するためのラミネートカード作製用紙を提供することを目的とする。
【０００８】
【課題を解決するための手段】
上記の目的を達成するための手段として、請求項１の発明は、カード台紙の情報印刷面に透光性フィルムを貼り付けてなるラミネートカードを作製するための用紙であって、前記カード台紙の前記情報印刷面と反対の面には、その周縁に沿って剥離層が形成されると共にその剥離層の残余の領域に剥離層非形成領域が設けられ、前記透光性フィルムには、前記剥離層に対応する領域に粘着剤層が形成され、その粘着剤層が前記カード台紙の前記剥離層に剥離可能に貼着されているラミネートカード作製用紙である。
【０００９】
請求項２の発明は、カード台紙の情報印刷面に透光性フィルムを貼り付けてなるラミネートカードを作製するための用紙であって、前記カード台紙は印刷用紙にループ状の切断可能線を形成することで前記印刷用紙から切り離し可能に形成され、前記印刷用紙の情報印刷面と反対の面には、前記カード台紙の周縁部及びその外側領域に剥離層が形成されると共に前記カード台紙の前記周縁部以外の領域に剥離層非形成領域が形成され、前記透光性フィルムは前記剥離層に対応する領域に粘着剤層が形成されてその粘着剤層を介して前記印刷用紙の剥離層に剥離可能に貼着されると共に、前記透光性フィルムには前記カード台紙の切断可能線と重なるようにループ状の切断可能線が形成されていることを特徴とするラミネートカード作製用紙である。
【００１０】
【発明の作用及び効果】
＜請求項１の発明＞
本請求項のラミネートカード作製用紙によれば、以下の作用効果を奏する。すなわち、ラミネートカード作製用紙におけるカード台紙の情報印刷面に情報を印刷し、その後、透光性フィルムを剥離し、カード台紙を反転して、その情報印刷面に透光性フィルムを再結合すると、片面が透光性フィルムによってラミネートされたラミネートカードが容易に得られる。そして、透光性フィルムによってラミネートされていない他方の面には、剥離層の非形成領域があるから、この領域に鉛筆等で書き込みすることができる。
【００１１】
＜請求項２の発明＞
本請求項のラミネートカード作製用紙では、カード台紙はループ状の切断可能線により印刷用紙から切断されつつ透光性フィルムから剥離される。そして、カード台紙は、反転されて、カード台紙を剥離して形成された窓部分に嵌め込まれて、透光性フィルムに再結合される。さらに、透光性フィルムの切断可能線を切断するとラミネートカードが作製される。
このようにして、ラミネートカード作製用紙から容易に片面がラミネートされたラミネートカードが作製される。そして、透光性フィルムによってラミネートされていない他方の面には、剥離層の非形成領域があるから、この領域に鉛筆等で書き込みすることができる。
また、本請求項のラミネートカード作製用紙では、カード台紙を再結合する際に、カード台紙を剥離して形成された窓部分にカード台紙を嵌め込むだけで、カード台紙を透光性フィルムに対して適正な位置に再結合できる。
【００１２】
【発明の実施の形態】
＜第１実施形態＞
以下、本発明の第１実施形態について図１ないし図１１を参照しつつ説明する。本実施形態のラミネートカード作製用紙１は、印刷用紙５及び透光性フィルム７からなる（図１〜図４参照）。
印刷用紙５は、例えば葉書サイズの紙であり、その表面５Ａを印刷可能な情報印刷面とし、裏面５Ｂに剥離層９が形成されたものである（なお、剥離層９は図２において点描で示されている）。
また、印刷用紙５には、略長方形状のカード台紙１３Ａをその他の領域１３Ｂから切り離すための切断可能線としてのループ状のマイクロミシン目１５Ａが施されている。なお、このマイクロミシン目１５Ａは、剥離層９も貫通している。
【００１３】
印刷用紙５の裏面５Ｂにおいては、図２，図４に示すようにカード台紙１３Ａの周縁部及びその外側領域に剥離層９が形成されている。言い換えれば剥離層９は、マイクロミシン目１５Ａを挟んでその両側に形成されていることになる。
また、カード台紙１３Ａの周縁部以外の領域は、剥離層９の非形成領域２１とされている。
【００１４】
他方、透光性フィルム７は、例えば葉書サイズの透明な樹脂フィルムからなり、表面７Ａに粘着剤層１７が形成されている（図３においては、粘着剤層１７が施された領域は、網線で示されている）。
この粘着剤層１７は、図３，図４に示すように接合状態で、印刷用紙５の剥離層９の形成領域と対応する領域に形成されている。
すなわち、図３，図４に示すようにカード台紙１３Ａと対面する領域（マイクロミシン目１５Ｂで区画された領域）の周縁部及びその外側領域に粘着剤層１７が形成されている（なお、符号１９は粘着剤層の非形成領域を示す）。
なお、透光性フィルム７を透明な樹脂フィルムとしたのは、カード台紙１３Ａが透光性フィルム７でラミネートされたとしても、透光性フィルム７越しに、情報印刷面をみることができるようにするためである。
【００１５】
また、透光性フィルム７にも、ループ状のマイクロミシン目１５Ｂ（本発明の透光性フィルム７の切断可能線に相当）が形成されている。このマイクロミシン目１５Ｂは、図４に示すように印刷用紙５と透光性フィルム７とを接合（積層）した状態で、印刷用紙５のマイクロミシン目１５Ａと重なる位置に形成されている。このマイクロミシン目１５Ｂは、粘着剤層１７も貫通している。
なお、マイクロミシン目１５Ａ，１５Ｂは、後述するように、カード台紙１３Ａの一角部１４付近を透光性フィルム７側から押し上げていった場合に（図４においてマイクロミシン目１５Ｂ付近を押し上げていった場合に）、それに伴って当該角部１４付近のマイクロミシン目１５Ａが引っ張られてマイクロミシン目１５Ｂよりも優先的に切断されて、マイクロミシン目１５Ｂが切断されるよりも前にカード台紙１３Ａが透光性フィルム７から剥離されるように、ミシン目の細かさ、印刷用紙５の材質、透光性フィルム７の材質、剥離層９の剥離力、粘着剤層１７の粘着力が調整されている。
以上の構成の印刷用紙５と透光性フィルム７とが、剥離層９と粘着剤層１７とを重ねるように接合されてラミネートカード作製用紙１をなしている（図４参照）。
【００１６】
次に、ラミネートカード２５を作製する手順を説明する。まず、印刷用紙５のカード台紙１３Ａ部分に病院名、氏名等のカード情報をインクジットプリンター等により印字する（図１、図４参照）。続いて、カード台紙１３Ａの一角部１４付近を透光性フィルム７側から押し上げていくと（図４においてマイクロミシン目１５Ｂ付近を押し上げていくと）、それに伴って当該角部１４付近のマイクロミシン目１５Ａが引っ張られて切断される。
そして、マイクロミシン目１５Ａが切断された部分からカード台紙１３Ａの当該角部１４をつまんでマイクロミシン目１５Ａをカード台紙１３Ａの輪郭に沿って切断しつつ、カード台紙１３Ａを透光性フィルム７から剥離し、その後、カード台紙１３Ａを反転させる（図５、図６参照）。そして、カード台紙１３Ａを剥離して形成された窓部分に、カード台紙１３Ａの縁部が窓部分に合致するように嵌め込んで、カード台紙１３Ａの表面５Ａを透光性フィルム７に接着する（図７、図８参照）。さらに、この積層状態からマイクロミシン目１５Ｂを切断して、ラミネートカード２５が得られる（図９、図１０）。
【００１７】
このようにして得られたラミネートカード２５は、表面が透光性フィルム７によってラミネートされており、かつ裏面には、剥離層９の非形成領域２１が備えられている。従って、剥離層９の非形成領域２１内に、例えば、診療記録や、会員用施設の利用記録等を鉛筆等で書き込むことができる（図１１参照）。
また、本実施形態のラミネートカード作製用紙１では、カード台紙１３Ａを透光性フィルム７に再結合する際に、カード台紙１３Ａを剥離して形成された窓部分にカード用紙１３Ａを嵌め込むだけで、カード台紙１３Ａを透光性フィルム７に対して適正な位置に再結合できる。
また、完成したラミネートカード２５の周縁は、透光性フィルム７と粘着されるから、ラミネートカード２５の周縁から透光性フィルム７が剥離することが防止される。
【００１８】
＜第２実施形態＞
次に、第２実施形態について図１２を参照しつつ説明する。第２実施形態では、第１実施形態と異なる構成のみ説明し、第１実施形態と同一の他の構成、作用、効果については省略する。
第２実施形態では、マイクロミシン目１５Ａ，１５Ｂを備えない点が第１実施形態と異なる。この場合には、予めラミネートカードサイズとされた印刷用紙５及び透光性フィルム７が使用される。
【００１９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、葉書サイズのラミネートカード作製用紙１について説明したが、ラミネートカード作製用紙１のサイズは特に限定されず、例えば、Ａ３、Ａ４、Ａ５、Ａ６、Ｂ４、Ｂ５等の用紙であってもよい。
【００２０】
（２）上記実施形態では、１枚のラミネートカード作製用紙１から２枚のラミネートカード２５が作製されるものとしたが、１枚のラミネートカード作製用紙１から作製されるラミネートカード２５の枚数は特に限定されず、１枚であっても３枚以上であってもよい。
【００２１】
（３）上記実施形態では、各切断可能線をマイクロミシン目１５Ａ，１５Ｂとしたが、切断可能であればマイクロミシン目に限定されない。また、印刷用紙５の切断可能線としては、切断部分と未切断部分を有するミシン目ではなく、切断部分のみが連続した切れ目であってもよい。
【００２２】
（４）印刷用紙５の材質、透光性フィルム７の材質は、特に限定されない。例えば、印刷用紙５には、コ−ト紙、上質紙、クラフト紙、微塗工紙、サ−マル紙その他の紙類が使用できるが、例えばインクジットプリンターにより印刷する場合はインクジット専用の用紙を使用することが印刷のにじみが少ないことから好ましい。透光性フィルム７には、例えばポリエチレンテレフタレート、ポリプロピレン、ポリエチレン、ポリエチレンテレフタレート、ポリブチレンテレフタレートなどのオレフィン系樹脂、エステル系樹脂等を使用することができるが、ラミネートカードの外観上光沢があり透明性の高いポリエチレンテレフタレートが好ましい。
【００２３】
（５）上記実施形態では、プリンタはインクジェットプリンタとしたが、特に限定されず、例えば熱転写型プリンタ、レーザプリンタも含まれる。
【００２４】
（６）上記実施形態では、粘着剤層１７の形成領域と剥離層９の形成領域とは、その形状・面積が同一で完全に重なり合うものとしているが、粘着剤層１７の形成領域と剥離層９の形成領域は必ずしも完全に重なり合わなくてもよい。
【００２５】
（７）上記実施形態では、作製されるラミネートカード２５の形状を略長方形状としたが、ラミネートカード２５の形状は特に限定されない。
【００２６】
（８）上記実施形態では、剥離層９の非形成領域２１の形状は、略長方形状としたが、特に限定されず種々の形状とすることができる。
【図面の簡単な説明】
【図１】本発明の第１実施形態に係るラミネートカード作製用紙の平面図である。
【図２】印刷用紙を裏面から視た平面図である。
【図３】透光性フィルムを表面から視た平面図である。
【図４】図１のＩＶ−ＩＶ断面図である。
【図５】ラミネートカード作製手順を示す図である。
【図６】図５のＶＩ−ＶＩ断面図である。
【図７】ラミネートカード作製手順を示す図である。
【図８】図７のＶＩＩＩ−ＶＩＩＩ断面図である。
【図９】ラミネートカード作製手順を示す図である。
【図１０】図９のＸ−Ｘ断面図である。
【図１１】完成したラミネートカードの平面図である。（図１１（Ａ）：表面，図１１（Ｂ）：裏面）
【図１２】第２実施形態に係るラミネートカード作製用紙の断面図である。
【符号の説明】
１…ラミネートカード作製用紙
５…印刷用紙
５Ａ…表面（情報印刷面）
５Ｂ…裏面
７…透光性フィルム
９…剥離層
１３Ａ…カード台紙
１５Ａ…マイクロミシン目（切断可能線）
１５Ｂ…マイクロミシン目（切断可能線）
１７…粘着剤層
１９…粘着剤層の非形成領域
２１…剥離層の非形成領域
２５…ラミネートカード
【図１】
2005014296.tif 000003
【図２】
2005014296.tif 000004
【図３】
2005014296.tif 000005
【図４】
2005014296.tif 000006
【図５】
2005014296.tif 000007
【図６】
2005014296.tif 000008
【図７】
2005014296.tif 000009
【図８】
2005014296.tif 000010
【図９】
2005014296.tif 000011
【図１０】
2005014296.tif 000012
【図１１】
2005014296.tif 000013
【図１２】
2005014296.tif 000014